(57)【特許請求の範囲】
【請求項１】
生物学的試料中の分析物濃度を決定するための方法であって、以下：
作用電極及び対電極への多数のパルス入力により感知された生物学的試料から、分析物のレドックス反応に応じて少なくとも１個の出力シグナルを生成すること；
該生物学的試料からの少なくとも１つの二次出力シグナルを、追加の電極から生成すること、該二次出力シグナルは該生物学的試料のヘマトクリット含有量に応じる；
多数のエラーパラメーターに応じる少なくとも１個のインデックス関数を決定すること、該インデックス関数は、ａ)該分析的出力シグナルから引き出された個々の比率インデックス；ｂ）該分析的出力シグナルから引き出された該比率インデックス、温度、二次出力シグナル、又は補正なしに決定された該試料の分析物濃度の間の相互作用項；及びｃ）前記の少なくとも１個の二次出力シグナルからのヘマトクリット含有量を含む；そして
前記の少なくとも１個の出力シグナルおよび前記の少なくとも１個のインデックス関数に応じる勾配補正方程式から前記生物学的試料中の分析物濃度を決定すること、ここで該勾配補正方程式に少なくとも１個の基準相関および少なくとも１個の勾配偏差が含まれる；
を含む、前記方法。
【請求項２】
さらに、少なくとも中間シグナルから前記の少なくとも１個のインデックス関数を引き出すことを含む、請求項１に記載の方法。
【請求項３】
その生物学的試料中の分析物濃度の決定に、前記出力シグナルを前記生物学的試料中の分析物濃度に関連づける相関を、前記勾配補正方程式を用いて調整することが含まれる、請求項１に記載の方法。
【請求項４】
前記決定された分析物濃度の％−バイアスが±１０．４の範囲内である、請求項３に記載の方法。
【請求項５】
前記決定された分析物濃度の％−バイアスが±５．４の範囲内である、請求項３に記載の方法。
【請求項６】
前記生物学的試料中の分析物濃度の決定に、前記勾配補正方程式無しで決定された分析物濃度を前記勾配補正方程式を用いて修正することが含まれる、請求項１に記載の方法。
【請求項７】
前記決定された分析物濃度の％−バイアスが±１０．４の範囲内である、請求項６に記載の方法。
【請求項８】
前記決定された分析物濃度の％−バイアスが±５．４の範囲内である、請求項６に記載の方法。
【請求項９】
前記生物学的試料中の分析物濃度の決定に、前記少なくとも１個の出力シグナルを勾配補正方程式を用いて調整することが含まれる、請求項１に記載の方法。
【請求項１０】
前記決定された分析物濃度の％−バイアスが±１０．４の範囲内である、請求項９に記載の方法。
【請求項１１】
前記決定された分析物濃度の％−バイアスが±５．４の範囲内である、請求項９に記載の方法。
【請求項１２】
前記勾配補正方程式がその少なくとも１個のエラーパラメーターの切片偏差に応じる、請求項１に記載の方法。
【請求項１３】
前記の少なくとも１個のインデックス関数が前記の少なくとも１個のエラーパラメーターの勾配偏差および前記の少なくとも１個のエラーパラメーターの切片偏差に応じる、請求項１に記載の方法。
【請求項１４】
前記インデックス関数が複合インデックス関数および予測関数の一部の少なくとも一方であり、前記勾配補正方程式が該複合インデックス関数、または該予測関数に応じる、請求項１に記載の方法。
【請求項１５】
前記予測関数がその全体の勾配偏差に応じる、請求項１４に記載の方法。
【請求項１６】
さらに、前記複合インデックス関数中に含ませるための項を選択することを含み、該項は除外試験への応答に基づいて選ばれる、請求項１４に記載の方法。
【請求項１７】
前記の少なくとも１個の勾配偏差が前記の少なくとも１個の出力シグナルから他の方法で決定されたその分析物濃度の％−バイアスに応じる、請求項１に記載の方法。
【請求項１８】
生物学的試料中の分析物濃度を決定するための方法であって、以下：
生物学的試料から少なくとも１個の分析的出力シグナルを生成すること；
前記生物学的試料から少なくとも１個の二次出力シグナルを生成すること、該二次出力シグナルは該試料のヘマトクリット含有量に応じる；
多数のエラーパラメーターに応じる少なくとも１個のインデックス関数を決定すること、該インデックス関数は、ａ)該分析的出力シグナルから引き出された個々の比率インデックス；ｂ）該分析的出力シグナルから引き出された該比率インデックス、温度、二次出力シグナル、又は補正なしに決定された該試料の分析物濃度の間の相互作用項；及びｃ）前記の少なくとも１個の二次出力シグナルからのヘマトクリット含有量を含む；
前記の少なくとも１個の分析的出力シグナルから生物学的試料中の分析物濃度を決定するための相関を、前記の少なくとも１個のインデックス関数に応じる勾配補正方程式を用いて調整すること、ここで該勾配補正方程式には少なくとも１個の基準相関および少なくとも１個の勾配偏差が含まれ；そして
前記の少なくとも１個の分析的出力シグナルおよび前記相関からその生物学的試料中の分析物濃度を決定すること；
を含む、前記方法。
【請求項１９】
試料中の分析物濃度を決定するためのバイオセンサー系であって、以下：
細片により形成されるリザーバーに隣接した試料インターフェイスを有する試験センサー；および
センサーインターフェイスに接続された処理装置を有する測定装置を含み、前記センサーインターフェイスが前記試料インターフェイスと電気的通信を有し、前記処理装置が記憶媒体と電気的通信を有し；そして
ここで前記試験センサーおよび測定装置が前記リザーバー中の生物学的試料から、分析物のレドックス反応に応じて少なくとも１個の出力シグナルを生成し；
ここで該試験センサー及び測定装置は、該生物学的試料から少なくとも１個の二次出力シグナルを生成し、該二次出力シグナルは該試料のヘマトクリット含有量に応じる；
ここで前記処理装置が多数のエラーパラメーターに応じる少なくとも１個のインデックス関数を決定し、該インデックス関数は、ａ)該分析的出力シグナルから引き出された個々の比率インデックス；ｂ）該分析的出力シグナルから引き出された該比率インデックス、温度、二次出力シグナル、又は補正なしに決定された該試料の分析物濃度の間の相互作用項；及びｃ）前記の少なくとも１個の二次出力シグナルからのヘマトクリット含有量を含む；そして
ここで前記処理装置が、前記の少なくとも１個の出力シグナルおよび前記の少なくとも１個のインデックス関数に応じる勾配補正方程式からその生物学的試料中の分析物濃度を決定し、ここで該勾配補正方程式に少なくとも１個の基準相関および少なくとも１個の勾配偏差が含まれる、
前記バイオセンサー系。
【発明の詳細な説明】
【技術分野】
【０００１】
関連出願への参照
[000]  この出願は、２０１０年６月７日に出願された、“二次出力シグナルを含む勾配に基づく補正”と題された米国仮出願第６１／３５１，９８８号の利益を主張し、その全体を参照により援用する。
【発明の概要】
【０００２】
背景技術
[001]  バイオセンサー系は生物学的流体、例えば全血、血清、血漿、尿、唾液、間質液、または細胞内液の分析を提供する。典型的には、その系には試験センサーと接触する試料を分析する測定装置が含まれる。その試料は通常は液体の形であり、生物学的流体であること以外に、生物学的流体の派生物、例えば抽出物、希釈液、濾液、または再構成された沈殿物であってよい。バイオセンサー系により行われる分析は、生物学的流体中の１種類以上の分析物、例えばアルコール、グルコース、尿酸、ラクテート、コレステロール、ビリルビン、遊離脂肪酸、トリグリセリド類、タンパク質、ケトン類、フェニルアラニンまたは酵素の存在および／または濃度を決定する。その分析は、生理的異常の診断および処置において有用である可能性がある。例えば、糖尿病の人は、食事および／または薬物療法の調節のためにバイオセンサー系を用いて全血中のグルコースレベルを決定することができる。
【０００３】
[002]  バイオセンサー系は１種類以上の分析物を分析するように設計されてよく、異なる体積の生物学的流体を用いてよい。一部の系は、例えば０．２５から１５マイクロリットル（μＬ）までの体積の一滴の全血を分析することができる。バイオセンサー系はベンチトップ型、携帯用、および同様の測定装置を用いて実施することができる。携帯用測定装置は手持ち式であり試料中の１種類以上の分析物の同定および／または定量化を可能にすることができる。携帯用測定系の例にはニューヨーク州タリータウンにあるＢａｙｅｒ  ＨｅａｌｔｈＣａｒｅのＡｓｃｅｎｓｉａ（登録商標）、Ｂｒｅｅｚｅ（登録商標）およびＥｌｉｔｅ（登録商標）メーターが含まれ、一方でベンチトップ型測定系の例にはテキサス州オースティンにあるＣＨ  Ｉｎｓｔｒｕｍｅｎｔｓから入手可能なＥｌｅｃｔｒｏｃｈｅｍｉｃａｌ  Ｗｏｒｋｓｔａｔｉｏｎが含まれる。
【０００４】
[003]  電気化学的バイオセンサー系では、試料に入力シグナルが印加された際にその分析物またはその分析物に反応する種の酸化／還元またはレドックス反応により生成される電気的シグナルからその分析物の濃度が決定される。その入力シグナルは電位または電流であってもよく、一定、可変、またはＡＣシグナルがＤＣシグナルオフセットと共に印加される場合のようにその組み合わせであってよい。その入力シグナルは単一パルスとして、または多重パルス、シークエンス、もしくはサイクルで印加されてよい。レドックス反応の間の第１の種から第２の種への電子移動を増進するために、酵素または類似の種がその試料に加えられてよい。その酵素または類似の種は単一の分析物と反応し、そうして生成された出力シグナルの一部に特異性を与えることができる。酵素の酸化状態を維持するために仲介物質を用いることができる。
【０００５】
[004]  電気化学バイオセンサー系には通常、試験センサー内の電気伝導体と接続する電気接点を有する測定装置が含まれる。その伝導体は、導電性物質、例えば固体金属、金属ペースト、導電性炭素、導電性炭素ペースト、導電性ポリマー等から作られていてよい。その電気伝導体は典型的には作用電極、対電極、参照電極、および／または試料リザーバーの中へと延びる他の電極に接続する。その電極により提供されない機能性を提供するために、１つ以上の電気伝導体がその試料リザーバーの中へと延びていてもよい。
【０００６】
[005]  その測定装置は、電気接点を通して試験センサーの電気伝導体に入力シグナルを印加する。その電気伝導体は、電極を通して試料リザーバー中に存在する試料の中に入力シグナルを伝える。その分析物のレドックス反応は、入力シグナルに応じて電気的出力シグナルを生成する。その細片からの電気的出力シグナルは、（電流測定またはボルタンメトリーにより生成されるような）電流、（電位差測定／ガルバノメトリーにより生成されるような）電位、または（クーロメトリーにより生成されるような）蓄積電荷であってよい。その測定装置は、その出力シグナルを測定し、その生物学的流体中の１種類以上の分析物の存在および／または濃度と相互に関連づける処理能力を有してよい。
【０００７】
[006]  クーロメトリーでは、試料に電位を印加して分析物を徹底的に酸化または還元する。クーロメトリーを用いるバイオセンサー系が米国特許第６，１２０，６７６号において記述されている。アンペロメトリーでは定電位（電圧）の電気シグナルが試験センサーの電気伝導体に印加されるが、測定される出力シグナルは電流である。アンペロメトリーを用いるバイオセンサー系が米国特許第５，６２０，５７９号；第５，６５３，８６３号；第６，１５３，０６９号；および第６，４１３，４１１号において記述されている。ボルタンメトリーでは、変化する電位が生物学的流体の試料に印加される。ゲートアンペロメトリー（ｇａｔｅｄ  ａｍｐｅｒｏｍｅｔｒｙ）およびゲートボルタンメトリーでは、それぞれＷＯ  ２００７／０１３９１５およびＷＯ  ２００７／０４０９１３において記述されているように、パルス状の入力を用いることができる。
【０００８】
[007]  多くのバイオセンサー系では、その試験センサーを生きている生物の外部、内部、または部分的に内部での使用に適合させることができる。生きている生物の外部で用いられる場合、生物学的流体の試料を試験センサー中の試料リザーバーの中に導入することができる。その試験センサーは、分析のための試料の導入の前、後、または間にその測定装置の中に配置されてよい。生きている生物の内部または部分的に内部の場合、その試験センサーを継続的にその試料中に浸すことができ、またはその試料を断続的にその細片に導入することができる。その試験センサーはある体積の試料を部分的に分離するリザーバーを含んでいてよく、またはその試料に対して開放されていてよい。開放されている場合、その細片は、その生物学的流体と接触して配置される線維または他の構造の形を取っていてよい。同様に、その試料は例えば継続的監視のために細片を通して継続的に流れてよく、または例えば断続的監視のため、分析のために中断されてよい。
【０００９】
[008]  バイオセンサー系は、生物学的流体の分析の間に１つまたは複数のエラーを含む分析的出力シグナルをもたらす可能性がある。出力シグナルの１つ以上の部分または全体がその試料の分析物濃度に反応しない、または不正確に反応する場合のように、異常な出力シグナルにおいてこれらのエラーが反映される可能性がある。これらのエラーは、その試料の物理的特性、その試料の環境側面、その系の動作条件等のような１つ以上の寄与因子からのものである可能性がある。その試料の物理的特性にはヘマトクリット（赤血球）濃度、妨害物質等が含まれる。妨害物質にはアスコルビン酸、尿酸、アセトアミノフェン等が含まれる。その試料の環境側面には温度等が含まれる。その系の動作条件には、その試料の大きさが十分に大きくない場合の条件不足（ｕｎｄｅｒｆｉｌｌ  ｃｏｎｄｉｔｉｏｎｓ）、試料の供給遅延、そのセンサー細片中のその試料と１個以上の電極の間の断続的電気接触、その分析物と相互作用する試薬の劣化等が含まれる。エラーを引き起こす他の寄与因子または寄与因子の組み合わせがある可能性がある。
【００１０】
[009]  その分析的出力シグナルは、その試料の分析物濃度を決定するためにそのバイオセンサー系により用いられる。分析的出力シグナルに加えて、二次出力シグナルがその試料から（または他の方法で）決定されて、その分析におけるエラーを低減するためにそのバイオセンサー系により用いられてよい。そのような二次出力シグナルは、その試料の分析物濃度を決定するために用いられる電極から、または追加の電極から決定されてよい。追加の電極には、その試料の分析物濃度を決定するために用いられる電極と同じ試薬組成物、異なる試薬組成物が含まれていてよく、または試薬組成物が含まれていなくてよい。二次出力シグナルは熱電対等から決定されてもよい。例えば妨害物質と反応する試薬組成物を用いてよく、またはその試料、例えば全血ヘマトクリットの１種類以上の物理的特性を調べるために試薬組成物を欠く電極を用いてよい。
【００１１】
[0010]  バイオセンサー系の測定性能は、正確度および／または精度の点から定義される。正確度および／または精度の増大は、その系の測定性能の向上、バイアスの低下を提供する。正確度は基準分析物の読みと比較したそのセンサー系の分析物の読みのバイアスの点から表すことができ、より大きなバイアス値はより低い正確度を表す。精度は平均に関する多数の分析物の読みの間のそのバイアスの広がりまたは分散の点から表すことができる。バイアスは、バイオセンサー系から決定された１個以上の値および生物学的流体中の分析物濃度に関する１個以上の採択された参照値の間の差である。このように、その分析における１個以上のエラーが結果としてバイオセンサー系の決定された分析物濃度のバイアスをもたらす。
【００１２】
[0011]  バイアスは、“絶対バイアス”または“パーセントバイアス”において表すことができる。絶対バイアスは測定の単位、例えばｍｇ／ｄＬで表すことができる一方、パーセントバイアスは基準値に対する絶対バイアス値の百分率として表すことができる。ＩＳＯ標準（ＩＳＯ−２００３Ｅ）の下では、７５ｍｇ／ｄＬ未満のグルコース濃度では絶対バイアスを用いてエラーを表し、一方で７５ｍｇ／ｄＬ以上のグルコース濃度ではパーセントバイアスを用いてエラーを表す。用語“組み合わせたバイアス”（バイアス／％−バイアスとして表される）は、７５ｍｇ／ｄＬ未満のグルコース濃度に関する絶対バイアスおよび７５ｍｇ／ｄＬ以上のグルコース濃度に関するパーセントバイアスを表す。分析物濃度に関する採択された参照値は、基準計器、例えばＹＳＩ  Ｉｎｃ．（オハイオ州イエロースプリングス）から入手可能なＹＳＩ  ２３００  ＳＴＡＴ  ＰＬＵＳ（商標）を用いて得ることができる。
【００１３】
[0012]  ヘマトクリットバイアスは、基準計器を用いて得られた基準グルコース濃度および異なるヘマトクリットレベルを含有する試料に関してバイオセンサー系から得られた実験でのグルコースの読みの間の差を指す。基準およびその系から得られた値の間の差は特定の全血試料の間の異なるヘマトクリットレベルの結果もたらされ、一般的に次の方程式により百分率として表すことができ：％Ｈｃｔ−Ｂｉａｓ  ＝  １００％×（Ｇｍ−Ｇｒｅｆ）／Ｇｒｅｆ、ここでＧｍおよびＧｒｅｆはそれぞれいずれかのヘマトクリットレベルに関する決定されたグルコースおよび基準グルコース濃度の読みである。％Ｈｃｔ−Ｂｉａｓの絶対値が大きいほど、その試料のヘマトクリットレベル（％Ｈｃｔ：赤血球体積／試料体積の百分率として表される）が大きいほど、その決定されるグルコース濃度の正確度および／または精度が低減する。
【００１４】
[0013]  例えば、同一のグルコース濃度を含有するが２０、４０、および６０％のヘマトクリットレベルを有する全血試料を分析する場合、３つの異なるグルコースの読みが系により１セットの較正定数（例えば４０％ヘマトクリットを含有する全血試料の勾配および切片）に基づいて報告されるであろう。従って、たとえその全血グルコース濃度が同じであっても、その系は、２０％ヘマトクリット全血試料は４０％ヘマトクリット全血試料よりも多くのグルコースを含有し、６０％ヘマトクリット全血試料は４０％ヘマトクリット全血試料よりも少ないグルコースを含有すると報告するであろう。“ヘマトクリット感度”は、試料のヘマトクリットレベルにおける変化が分析に関するバイアス値に影響を及ぼす程度の表現である。ヘマトクリット感度は、パーセントヘマトクリットあたりの組み合わせたバイアスの数値、従って％Ｈｃｔあたりのバイアス／％−バイアスとして定義することができる。
【００１５】
[0014]  多くのバイオセンサー系には、分析に関係するエラーを修正するための１種類以上の以上の方法が含まれる。エラーを含む分析から得られた濃度値は、不正確である可能性がある。従って、これらの分析を修正する能力は、得られた濃度値の正確度および／または精度を増大させることができる。エラー修正系は、基準温度または基準ヘマトクリット値とは異なる試料温度または試料ヘマトクリット値のような１種類以上のエラーを補正することができる。
【００１６】
[0015]  従来のエラー補正系は様々な利点と不都合の釣り合いを取っているが、理想的なものはない。従来の系は通常、特定のタイプのエラー、例えば温度またはヘマトクリットのどちらかのエラーを検出し、それに反応するように方向付けられている。そのような系は典型的には多数のエラー源を補正する、または分析的および二次出力シグナルの両方を補正のために用いる能力を有しない。これらの系は一般に特定の試料からの出力シグナルに基づいてそのエラーに関する補正を変える能力も欠いている。その結果、従来のバイオセンサー系は望まれる測定性能限界外の決定された分析物濃度値を有する分析結果を提供する可能性がある。
【００１７】
[0016]  従って、向上したバイオセンサー系、特に試料中の分析物の濃度のますます正確および／または精密な決定を提供することができるバイオセンサー系に関する継続中の需要が存在する。本発明の系、装置、および方法は、従来のバイオセンサー系と関係する不都合の少なくとも１つを克服する。
【００１８】
発明の概要
[0017]  本発明は、決定された分析物濃度にバイアスをかける可能性のある１種類以上のエラーに反応する１個以上のインデックス関数（ｉｎｄｅｘ  ｆｕｎｃｔｉｏｎ）を有する分析的および／または二次出力シグナルから生物学的試料中の分析物濃度の決定に関する関係を調整するバイオセンサー系を提供する。そのバイアスは、１個以上のエラーパラメーターから得られた勾配偏差および正規化された勾配偏差により表すことができる。その勾配偏差は、１個以上のインデックス関数を用いてそのエラーパラメーターから決定することができる。インデックス関数の項（単数または複数）には、その分析的出力シグナルから引き出された、またはそれと無関係のエラーパラメーターが含まれていてよい。
【００１９】
[0018]  試料中の分析物濃度を決定するための方法において、その試料中の分析物の濃度に応じた出力シグナルが生成される。少なくとも１個のエラーパラメーターから少なくとも１個の勾配偏差が決定され、その試料の分析物濃度はその少なくとも１個の分析的出力シグナルおよび少なくとも１個の勾配補正方程式から決定される。その勾配補正方程式は少なくとも１個のインデックス関数に応じ、少なくとも１個の基準相関および少なくとも１個の勾配偏差を含む。その勾配補正方程式無しで決定された分析物濃度をその勾配補正方程式により修正することにより、その勾配補正方程式を用いてその試料の分析物濃度を決定することができる。その試料の分析物濃度は、その分析的出力シグナルをその生物学的試料中の分析物濃度に関連づける相関をその勾配補正方程式を用いて調整することにより決定することができる。その試料の分析物濃度は、少なくとも１個の分析的出力シグナルをその勾配補正方程式により調整することにより決定することができる。その少なくとも１個の勾配偏差は、予測関数（ｐｒｅｄｉｃｔｏｒ  ｆｕｎｃｔｉｏｎ）ｆ（ｐｒｅｄｉｃｔｏｒ）から決定することができる。そのｆ（ｐｒｅｄｉｃｔｏｒ）にはインデックス関数が含まれ、少なくとも１個のエラーパラメーターをその勾配偏差値に関連づける。その反応は電気化学的なレドックス反応であってよい。
【００２０】
[0019]  試料中の分析物濃度を決定するためのバイオセンサー系には測定装置および試験センサーが含まれる。その測定装置は、センサーインターフェイスに、および記憶媒体に接続された処理装置を有する。その試験センサーは、そのセンサーにより形成されるリザーバーに隣接する試料インターフェイスを有する。その処理装置は、センサーインターフェイスからの試料中の分析物の濃度に応じて出力シグナル値を決定する。その処理装置はエラーパラメーターから少なくとも１個の勾配偏差値を決定し、その少なくとも１個の勾配偏差値および記憶媒体中に存在する少なくとも１個の基準相関を用いて出力シグナル値を補正する。
【００２１】
[0020]  バイオセンサー系は、エラーパラメーターに応じて少なくとも１個の勾配偏差値を用いて分析物濃度と出力シグナルとの間の相関を調整する。その処理装置は、その試料インターフェイスからの出力シグナルに応じて、その勾配を調整した相関から分析物の濃度を決定する。
【００２２】
[0021]  試料中の分析物濃度を決定するための別の方法において、１個以上の出力シグナルが試料から生成される。少なくとも１個の複合インデックス関数（ｃｏｍｐｌｅｘ  ｉｎｄｅｘ  ｆｕｎｃｔｉｏｎ）が決定され、ここでその複合インデックス関数は二次出力シグナルから得られたエラーパラメーターに応じる。その試料中の分析物濃度は、その少なくとも１個の複合インデックス関数に応じてその出力シグナルから決定される。
【００２３】
[0022]  本発明の他の系、方法、特徴、および利点は、以下の図および詳細な記述を調べた際に、当業者には明らかである、または明らかになるであろう。全てのそのような追加の系、方法、特徴、および利点はこの記述内に含まれ、本発明の範囲内にあることを意図する。
【００２４】
[0023]  本発明は、以下の図面および記述を参照することにより、よりよく理解することができる。その図中の構成要素は必ずしも寸法通りではなく、むしろ本発明の原理を図説することに重点が置かれている。
【図面の簡単な説明】
【００２５】
【図１】[0024]  図１Ａは試料中の分析物濃度を決定するための方法を表す。
【図２−１】[0025]  図２Ａは、その作用電極および対電極に印加される入力シグナルに多数のパルスが含まれるゲートパルスシークエンスを表す。
【図２−２】[0026]  図２Ｂは、その作用電極および対電極に印加される入力シグナルに多数のパルスが含まれ、第２入力シグナルが追加の電極に印加されて二次出力シグナルを生成するゲートパルスシークエンスを表す。
【図２−３】[0027]  図２Ｃは、０％、２０％、４５％、または７０％Ｈｃｔが含まれる多数の血液試料から追加の電極を用いて測定された二次出力シグナル電流を示す。
【図３−１】[0028]  図３Ａは、ΔＳと比率インデックスＲ５／４に応じるインデックス関数との相関を示す。
【図３−２】[0029]  図３Ｂは、％−バイアスおよび比率エラーパラメーター（Ｒ５／４）を勾配に関連づけるインデックス関数の間の相関を示す。
【図３−３】[0030]  図３Ｃは、追加の電極から測定された二次出力シグナル電流のエラーパラメーターをその試料の％−Ｈｃｔに関連づける、勾配および切片に基づくインデックス関数を示す。
【図４−１】[0031]  図４Ａは、異なるグルコース濃度および０％、２０％、４５％および７０％−Ｈｃｔのヘマトクリット含有量が含まれる多数の全血試料に関するバイアスの低減を示す。
【図４−２】[0032]  図４Ｂは、Ｓｃａｌ、Ｓｈｙｐ、ΔＳ、Ａｃｏｒｒ、Ａｃａｌ、およびΔＡの間の関係を示す。
【図５−１】[0033]  図５Ａは、異なるグルコース濃度および０％、２０％、４５％および７０％Ｈｃｔのヘマトクリット含有量が含まれる多数の全血試料に関するΔＳ／Ｓｃａｌおよび追加の電極から得られた二次出力シグナル電流（Ｈｃｔ）の間の関係を示す。
【図５−２】[0034]  図５Ｂは、その補正により提供される組み合わせたバイアスの低減を示す。
【図５−３】[0035]  図５Ｃは、同じ全血試料に関する異なるインデックス関数を用いる勾配の補正の結果もたらされる組み合わせたバイアスの低減を比較する。
【図６−１】[0036]  図６Ａは、ΔＳ／Ｓｃａｌと追加の電極から得られた二次出力シグナル電流（Ｈｃｔ）および温度をエラーパラメーターとして含むインデックス関数の間の関係を示す。
【図６−２】[0037]  図６Ｂは、その追加の電極から測定された二次出力シグナル電流および温度を用いるインデックス関数による補正により提供される組み合わせたバイアスの低減を示す。
【図６−３】[0038]  図６Ｃは、複合インデックス関数およびΔＳ／Ｓｃａｌの間の相関を示す。
【図６−４】[0039]  図６Ｄは、複合インデックス関数による補正により提供される組み合わせたバイアスの低減を示す。
【図６−５】[0040]  図６Ｅは、複合インデックス関数およびΔＳ／Ｓｃａｌの間の相関を示す。
【図６−６】[0041]  図６Ｆは、複合インデックス関数による補正により提供される組み合わせたバイアスの低減を示す。
【図７】[0042]  図７Ａは、生物学的流体の試料中の分析物濃度を決定するバイオセンサー系の図式的表現を示す。
【発明を実施するための形態】
【００２６】
[0043]  バイオセンサー系は、分析的出力シグナルの中間シグナルから、および／または二次出力シグナルから引き出されたインデックス関数を用いて、出力シグナルから生物学的試料中の分析物濃度を決定するための相関関係を調整する。その中間シグナルはその分析的出力シグナルの１個以上の部分または同様のものであってよい。その二次出力シグナルはその生物学的試料の物理的または環境的特性に応じる。その補正系は複合的な生物学的試料を分析する際に実質的な利益を提供するのに加え、その補正系は他のタイプの分析の測定性能を向上させるために用いることができる。
【００２７】
[0044]  分析物濃度の出力シグナルとの相関における％−バイアスは、１個以上のエラーパラメーターから得られた１個以上の勾配偏差により表すことができる。出力シグナルの一部を含有するエラーは、その出力シグナルの仮定的勾配および基準相関の勾配の間の偏差において反映される。この勾配における偏差を反映する１個以上の値を１個以上のエラーパラメーターから決定することにより、分析の測定性能を増大させることができる。予測関数、インデックス関数、および／または複合インデックス関数は、その分析における１種類以上のエラーによる、その分析物濃度および出力シグナルの間の相関における％バイアスに相当する。
【００２８】
[0045]  予測関数は、その分析物濃度分析における１種類以上のエラーに関して測定された分析物濃度を補正する。そのようなエラーは結果としてバイアスをもたらし、そうして決定された分析物濃度の正確度および／または精度を低減し得る。１個以上の予測関数を用いてよい。全体の勾配偏差と完全に相関する予測関数は、その分析物濃度の究極的な全体のエラー補正を提供するであろう。そのような仮説的な完全に相関する予測関数は、その全体の勾配偏差、従ってその測定された分析物濃度のバイアスの正確な原因を知ることを必要とせずに、その分析における全てのエラーを補正するために用いることができるであろう。予測関数には少なくとも１個のインデックス関数が含まれ、そのインデックス関数の１個以上が複合していてよい。
【００２９】
[0046]  インデックス関数は少なくとも１個のエラーパラメーターに応答する。インデックス関数はエラーパラメーター、例えばヘマトクリットまたは温度と相関する計算された数であってよく、このエラーパラメーターのバイアスへの影響を表す。インデックス関数は、基準勾配からの偏差およびそのエラーパラメーターの間のプロットの回帰または他の方程式として実験により
決定されてよい。従って、そのインデックス関数はそのエラーパラメーターのその勾配偏差への影響を表す。複合インデックス関数には重み係数（ｗｅｉｇｈｉｎｇ  ｃｏｅｆｆｉｃｉｅｎｔｓ）により修正された項の組み合わせが含まれる。その複合インデックス関数中に含まれる項は、１種類以上の除外試験により選択されてよい。
【００３０】
[0047]  エラーパラメーターは、その出力シグナル中の１種類以上のエラーに応答するあらゆる値であってよい。エラーパラメーターは、分析的出力シグナルからの、またはその分析的出力シグナルと無関係な二次出力シグナルからの、例えば熱電対電流もしくは電圧、追加の電極の電流もしくは電圧等からの中間シグナルのようなその分析物の分析からの値であってよい。従って、そのエラーパラメーターはその分析の出力シグナルから直接または間接的に引き出されてよく、および／またはその分析的出力シグナルから独立に得られてよい。他のエラーパラメーターはこれらの、または他の分析的または二次出力シグナルから決定されてよい。そのインデックス関数を構成する項（単数または複数）を形成するために、あらゆるエラーパラメーター、例えば２００８年１２月６日に出願された、“勾配に基づく補正”と題された国際公開番号ＷＯ  ２００９／１０８２３９において記述されているエラーパラメーター等を用いることができる。インデックス関数および勾配偏差値を用いるエラー修正のより詳細な処理もこの刊行物において見付けることができる。
【００３１】
[0048]  勾配偏差はその出力シグナルにおける変化の統計的作用を低減する、その出力シグナルの変動における区別を向上させる、その出力シグナルの測定を標準化する、それらの組み合わせ、等のために正規化することができる。その勾配偏差は正規化されてよいため、インデックス関数も勾配偏差およびその基準相関の勾配の間の関係において表すことができる。正規化において、その勾配偏差、インデックス関数、または他のパラメーターを、そのパラメーターにおける変化の統計的作用を低減する、そのパラメーターの変動における区別を向上させる、そのパラメーターの測定を標準化する、それらの組み合わせ、等のために変数により調整する（掛ける、割る、等）。予測またはインデックス関数および勾配偏差の間の相関がより大きいほど、その分析におけるエラーの修正においてその関数がよりよくなる。
【００３２】
[0049]  インデックス関数は、その関数に重み係数により修飾される項の組み合わせが含まれる場合、複合する。その組み合わせは好ましくは線形の組み合わせであるが、その項に重み係数を与える他の組み合わせ法を用いてもよい。それぞれの項には１個以上のエラーパラメーターが含まれてよい。予測および複合インデックス関数を分析物の分析のために用いるより詳細な処理を、２００９年１２月８日に出願された、“複合インデックス関数”と題された国際出願番号ＰＣＴ／ＵＳ２００９／０６７１５０において見付けることができる。
【００３３】
[0050]  図１Ａは、生物学的流体の試料中の分析物濃度を決定するための方法を表す。１０２において、そのバイオセンサー系は生物学的流体の試料中の分析物の酸化／還元（レドックス）反応に応じて二次および／または分析的出力シグナルを生成する。１０４において、そのバイオセンサー系はその二次および分析的出力シグナルを測定する。１０６において、その分析物濃度が少なくとも１個のインデックス関数およびその出力シグナルを含む勾配補正方程式から決定される。その勾配補正方程式を少なくとも１個のインデックス関数および出力シグナルと共に用いてその出力シグナルからその試料中の分析物濃度を決定することができ、あるいはその勾配補正方程式を用いて分析物の濃度を修正することができ、従来のバイオセンサーと比較して向上した測定性能を提供することができる。１０８において、その分析物濃度を示す、将来の参照のために保管する、および／または追加の計算のために用いることができる。
【００３４】
[0051]  図１Ａの１０２において、そのバイオセンサー系は生物学的流体の試料中の分析物の酸化／還元（レドックス）反応に応じて分析的および二次出力シグナルを生成する。その出力シグナルは電気化学的または光学的センサー系を用いて生成されてよい。
【００３５】
[0052]  図１Ａの１０４において、そのバイオセンサー系はその二次および／または分析的出力シグナルを測定する。その系はその出力シグナルを連続的に、または断続的に測定することができる。例えば、そのバイオセンサー系はその分析的出力シグナルをゲートアンペロメトリーによる入力シグナルのパルスの間に断続的に測定し、結果としてそれぞれのパルスの間に記録された多数の電流値をもたらすことができる。二次出力シグナルは、その分析的出力シグナルが測定される前、間、または後に測定されてよい。その系は表示装置上に出力シグナルを示すことができ、および／または１個以上の出力シグナルまたはその出力シグナルの一部を記憶装置中に記憶することができる。
【００３６】
[0053]  図２Ａは、その作用電極および対電極に印加される入力シグナルに多数のパルスが含まれるゲートパルスシークエンスを表す。そのパルスの結果もたらされるその分析的出力シグナル電流値をそれぞれのパルスの上に示す。その中間シグナル電流値は黒丸で示されている。そのｉ値のそれぞれはその入力シグナルに応じた分析的出力シグナルの電流値である。そのｉ値の下付き文字の中の最初の数字はそのパルスの数を意味し、一方でその下付き文字の中の２番目の数字はその電流値が測定された際のその出力シグナルの順番を意味する。例えば、ｉ２，３は２番目のパルスに関して測定された３番目の電流値を意味する。
【００３７】
[0054]  インデックス関数には、図２Ａにおいて示されているような中間分析的出力シグナルから引き出された比率が含まれてよい。例えば、その中間シグナル値を個々のパルス−シグナル減衰サイクル内で比較してパルス間の比率、例えば比率Ｒ３＝ｉ３，３／ｉ３，１、Ｒ４＝ｉ４，３／ｉ４，１、等を提供することができる。別の例では、その中間シグナル値を別個のパルス−シグナル減衰サイクル間で比較することができる（例えば比率Ｒ３／２＝ｉ３，３／ｉ２，３、Ｒ４／３＝ｉ４，３／ｉ３，３等）。
【００３８】
[0055]  インデックス関数には、図２Ａで示されている分析的出力シグナルから引き出された比率の組み合わせも含まれてよい。１つの例では、インデックス関数には比率の比率、例えばＲａｔｉｏ３／２＝Ｒ３／Ｒ２、Ｒａｔｉｏ４／３＝Ｒ４／Ｒ３、等が含まれてよい。別の例では、インデックス関数にはインデックスの組み合わせが含まれてよい。例えば、組み合わせインデックスＩｎｄｅｘ−１をＩｎｄｅｘ−１＝Ｒ４／３−Ｒａｔｉｏ３／２として表すことができる。別の例では、組み合わせインデックスＩｎｄｅｘ−２をＩｎｄｅｘ−２＝（Ｒ４／３）ｐ−（Ｒａｔｉｏ３／２）ｑとして表すことができ、ここでｐおよびｑは独立して正の数である。
【００３９】
[0056]  図２Ｂは、その作用電極および対電極に印加される入力シグナルに多数のパルスが含まれ、第２入力シグナルが追加の電極に印加されて二次出力シグナルを生成するゲートパルスシークエンスを表す。その追加の電極に印加される入力シグナルはその分析的入力シグナルの完了後に印加されたが、他の時点で印加することもできるであろう。図２Ｃは、０％、２０％、４５％、または７０％−Ｈｃｔが含まれる多数の血液試料から追加の電極を用いて測定された二次出力シグナル電流を示す。この例ではその相関は二次多項式の形で表されているが、線形または他の相関関係も用いられてよい。例えば、約２０％−Ｈｃｔ含有量を有する血液試料が含まれる試験センサーの追加の電極から測定された二次出力シグナル電流は、約２５００ｍＶであった。従って、その追加の電極からの電流値は、その追加の電極から測定された電流値をその試料の％−Ｈｃｔに関連づけるインデックス関数において用いることができる。
【００４０】
[0057]  複合インデックス関数の例は次のように表される：
[0058]
【００４１】
【化１】
0005856154.tif 000002
【００４２】
ここでａ１は定数であり、ａ２〜ａ１７は独立して重み係数であり、Ｇｒａｗは補正無しのその試料の決定された分析物濃度であり、Ｔｅｍｐは温度であり、Ｈｃｔは追加の電極からの電流である。その重み係数（ａ２〜ａ１７）のそれぞれの後にそれの関係する項が続く。
【００４３】
[0059]  この複合インデックス関数中には少なくとも３つの項の基本的なタイプが存在する：（１）その分析的出力シグナルから引き出された個々の比率インデックス、例えばＲ３／２およびＲ４／３、（２）その分析的出力シグナルから引き出された比率インデックスと温度、Ｈｃｔ電流、および／またはＧｒａｗの間の相互作用の項、例えば（Ｔｅｍｐ）（Ｒ５／３）および（Ｒ４／３）（Ｇｒａｗ）、ならびに（３）温度、Ｈｃｔ、またはＧｒａｗ。その項には、Ｇｒａｗを含め、エラーパラメーター以外の値が含まれていてよい。前に記述したような組み合わせインデックス関数が含まれるがそれに限定されない他の項を用いることもできる。その複合インデックス関数は、その項を適切な値で置き換えた際に複合インデックス値を提供するように解くことができる。統計処理をその多数の項に施して１個以上の定数および重み係数を決定することができる。その統計処理を行うために、ＭＩＮＩＴＡＢ（ＭＩＮＴＡＢ，ＩＮＣ．，ペンシルベニア州、ステートカレッジ）を含む統計パッケージソフトウェアを用いることができる。
【００４４】
[0060]  その複合インデックス関数中に含ませるための項は、それぞれの可能性のある項に関する除外値（ｅｘｃｌｕｓｉｏｎ  ｖａｌｕｅ）を決定するための１種類以上の数学的技法を用いて選択することができる。次いで１種類以上の除外試験をその除外値に適用してその複合インデックス関数から除外する項を同定する。例えば、その複合インデックス関数とその勾配偏差の間の相関に影響を及ぼす見込みを示すｐ値は、その項がその複合インデックス関数から削除された場合、除外試験の下で除外値として用いてその複合インデックス関数から項を除外することができる。このように、その複合インデックス関数からその複合インデックス関数とその勾配偏差の間の相関に望ましくない方法で影響を及ぼさない項を取り除くことは、その複合インデックス関数とその勾配偏差の間の望ましい相関を可能にする。複合インデックス関数に関する項を選択するために除外値および除外試験を用いることのより詳細な論考を、２００９年１２月８日に出願された、“複合インデックス関数”と題された国際出願番号ＰＣＴ／ＵＳ２００９／０６７１５０において見付けることができる。
【００４５】
[0061]  その定数ａ１は回帰または他の数学的技法により決定することができる。その複合インデックス関数中に単一の定数を示したが、定数は必要でない；１個より多くが用いられてよく、０と等しくてよい。従って、１個以上の定数がその複合インデックス関数中に含まれていてよく、または含まれていなくてよい。例えば続いて記述するようなｂ０定数のような１個以上の定数も予測関数の形成においてその複合インデックス関数と組み合わせられてよい。
【００４６】
[0062]  １の重み係数を有する項が用いられてよいが、複合インデックス関数には重み係数により修飾された少なくとも２個の項が含まれる。重み係数は１または０以外の数値である。好ましくは、エラーパラメーターが含まれるそれぞれの項は重み係数により修飾されている。より好ましくは、その複合インデックス関数のそれぞれの定数ではない項は重み係数により修飾されている。重み係数は正または不の値を有していてよい。重み係数は多数の分析物濃度、異なるヘマトクリットレベル、異なる温度等の組み合わせから集められた実験データの統計処理により決定されてよい。
【００４７】
[0063]  その項の少なくとも２個が重み係数により修飾されている際、同じエラーのタイプに応答する異なる項はその複合インデックス関数において相乗的に組み合わせられてよい。例えば、Ｒ５／４が実質的に高ヘマトクリット（約４０％〜約７０％）におけるその試料のヘマトクリット含有量を記述し、一方でその追加の電極から得られる電流値が実質的に低ヘマトクリット（約１０％〜約４０％）におけるその試料のヘマトクリット含有量を記述する場合、その重み係数はこれらの項の適切な“ブレンド”を割り当てて測定性能の望ましい増大を提供することができる。加えて、あらゆる１個の悪い項、例えばその追加の電極からの不正確な読みがその分析の測定性能に悪影響を及ぼす能力を低減することができる。
【００４８】
[0064]  図１Ａの１０６において、その試料の分析物濃度を少なくとも１個のインデックス関数が含まれる勾配補正方程式および出力シグナルから決定することができる。そのインデックス関数は予測関数の一部を構成していてよく、複合していてよい。そのインデックス関数は勾配または切片をエラーパラメーターに関連づけることができる。インデックス関数は、基準相関方程式に加えて、予め決定されてそのバイオセンサー系中に記憶されてよい。エラーパラメーターの値はその分析の前、間、または後に決定されてよい。
【００４９】
[0065]  図３Ａは、ΔＳのインデックスＲ５／４エラーパラメーターに応じるインデックス関数との相関を示す。図３Ｂは、％−バイアスおよびエラーパラメーターであるインデックスＲ５／４間の相関を示し、ここでその回帰方程式はそのインデックス関数である。図３Ｂにおいて、その比率パラメーターＲ５／４は７回のパルスが含まれるゲートアンペロメトリーのパルスシークエンスの４番目および５番目のパルスに応じてその分析物により生成された分析的出力シグナル電流の間の関係を表す。その比率エラーパラメーターＲ５／４は、分析的出力シグナルから決定されるエラーパラメーターの例である。
【００５０】
[0066]  図３Ｃは、追加の電極から測定された二次出力シグナル電流のエラーパラメーターをその試料の％−Ｈｃｔに関連づける、勾配および切片に基づくインデックス関数を示す。その追加の電極から測定された電流は、二次出力シグナルから決定されるエラーパラメーターの例である。従って、図２Ｃを用いてその追加の電極の二次出力シグナル電流から全血試料の％−Ｈｃｔを決定することができ、一方で図３Ｃの関係を用いて異なる％−Ｈｃｔにおける勾配および切片を決定することができる。
【００５１】
[0067]  勾配補正方程式は勾配偏差を分析的出力シグナルと共に用いて補正された試料中の分析物濃度を提供する。その勾配補正方程式は、その勾配偏差を表す少なくとも１個のインデックス関数を分析的出力シグナル値との組み合わせで用いて補正された分析物濃度を提供することができる。その勾配補正方程式は、その勾配偏差を表すために他の関数および／または値を用いてもよい。その勾配補正方程式は、好ましくは出力シグナルおよび既知の分析物濃度の間の基準相関を調整することによりエラーに関して補正し、補正または修正された分析物濃度を提供する。
【００５２】
[0068]  前に図２Ｃに関して論じたように、追加の電極からの電流の形の二次出力シグナルは、全血試料のヘマトクリット含有量を記述するエラーパラメーターと考えることができる。その試料のヘマトクリット含有量は、濃度値におけるエラーはその基準相関が決定されたヘマトクリット含有量以外のヘマトクリット含有量において分析を実施することに起因する可能性があるため、エラーパラメーターと考えることができる。その試料のヘマトクリット含有量は、あらゆる源、例えば電極、計算された推定値等から決定することができる。従って、ｆ（Ｉｎｄｅｘ）Ｈｃｔは、ヘマトクリット試料含有量を、基準ヘマトクリット含有量において決定された基準相関勾配とその分析が実施されたヘマトクリット含有量におけるヘマトクリットに影響された分析物濃度を提供するであろう線の仮定的勾配の間の勾配偏差に関連づける。同様に、ｇ（Ｉｎｄｅｘ）Ｈｃｔは、ヘマトクリット試料含有量を、基準ヘマトクリット含有量において決定された基準相関切片とその分析が実施されたヘマトクリット含有量におけるヘマトクリットに影響された分析物濃度を提供するであろう線の仮定的切片の間の切片における偏差に関連づける。ヘマトクリットに関する勾配インデックス関数ｆ（Ｉｎｄｅｘ）Ｈｃｔおよび／またはヘマトクリットに関する切片インデックス関数ｇ（Ｉｎｄｅｘ）Ｈｃｔは、その基準相関方程式と共にバイオセンサー系中に記憶されていてよい。
【００５３】
[0069]  切片およびヘマトクリットに基づくインデックス関数による正規化を用いる勾配補正方程式は、次の形をとることができる：
[0070]
【００５４】
【化２】
0005856154.tif 000003
【００５５】
[0071]  ここでＩｎｔｘ％−Ｈｃｔはｘ−％Ｈｃｔにおける切片であり、Ｓｘ％−Ｈｃｔはｘ−％Ｈｃｔにおける勾配であり、Ｉｎｔｎｍｌは正規化された切片であり、ｇ（Ｉｎｄｅｘ）Ｈｃｔは％−Ｈｃｔに関する切片に基づくインデックス関数であり、Ｓｎｍｌは正規化された勾配であり、ｆ（Ｉｎｄｅｘ）Ｈｃｔは％−Ｈｃｔに関する勾配に基づくインデックス関数である。このように、インデックス関数を用いてヘマトクリットを勾配および切片の両方に関連づける。この関係は、正規化された勾配Ｓｎｍｌ  ＝  Ｓ／Ｓｒｅｆ−Ｈｃｔに正規化された切片Ｉｎｔｎｍｌ  ＝  Ｉｎｔ／Ｉｎｔｒｅｆ−Ｈｃｔを追加した形でヘマトクリットの作用に帰することができる勾配偏差を表す。また、その関係は％−Ｈｃｔが唯一のエラー源であると仮定し、正規化は基準％−Ｈｃｔに関してである。しかし、１種類より多くのエラー源がその勾配および切片の偏差を引き起こしていそうである。従って、その勾配の正規化は、ヘマトクリットから生じていようと他のエラー源から生じていようと逸脱した（ｄｅｖｉａｔｅｄ）勾配に対してであり、全体的な基準相関勾配であるＳｃａｌにより正規化される。
【００５６】
[0072]  図４Ａは、異なるグルコース濃度および０％、２０％、４５％および７０％−Ｈｃｔのヘマトクリット含有量が含まれる多数の全血試料に関する組み合わせたバイアスの低減を示す。その追加の電極からの電流はその分析の開始から約５．７秒後に測定された。その分析は約２５．３±０．５℃において実施され、４５％−Ｈｃｔ値が中心として用いられた。式Ａに関連して、以下の関係を用いた：
[0073]
【００５７】
【化３】
0005856154.tif 000004
【００５８】
および
[0074]
【００５９】
【化４】
0005856154.tif 000005
【００６０】
ここで、（Ｈｃｔ）は追加の電極からのｍＶでの出力シグナルを表し、Ｓ４５％−ＨｃｔおよびＩｎｔ４５％−Ｈｃｔは、選択された中心ヘマトクリットである４５％−Ｈｃｔにおける較正勾配および切片である。その補正は、２５℃の理想的な条件において、その分析の約１００％を±１０％組み合わせバイアス限界（ｃｏｍｂｉｎｅｄ  ｂｉａｓ  ｌｉｍｉｔ）の範囲内に置いた。組み合わせバイアス限界は、基準値から離れて選択された境界内に入る分析の百分率を反映する性能限界である。
【００６１】
[0075]  分析的出力シグナルおよび分析物濃度の間に線形または線形に近い関係を有するバイオセンサー系に関して、系のエラーはエラーをその基準相関からの勾配偏差の中に組み合わせることにより単純化することができる。図４Ｂは、Ｓｃａｌ、Ｓｈｙｐ、ΔＳ、Ａｃｏｒｒ、Ａｃａｌ、およびΔＡの間の関係を示す。線Ａは、勾配Ｓｃａｌを有し、バイオセンサー系からの電流値の形の出力シグナルをその試料に関してＹＳＩまたは他の基準計器から得られた分析物濃度値に関連づける基準相関を表す。バイオセンサー系による試料の分析の間に用いた場合、線Ａの基準相関には不正確および／または不精密な分析物濃度値を提供する可能性のある１個以上のエラーを有する分析的出力シグナル電流値が含まれる可能性がある。線Ｂは、勾配Ｓｈｙｐを有し、バイオセンサー系から得られた電流値を基準計器から得られるような試料分析物濃度値と関連づける、エラーを補正された相関を表す。そのエラーを補正された相関は、その１種類以上のエラーを低減する、または実質的に排除するように調整または修正されている。ΔＳはこれらの相関線の間の勾配偏差であり、差として、または他の数学的演算子により表すことができる。ΔＡは、補正されていない、または修正されていない決定された分析物濃度値（Ａｃａｌ）とエラーを補正された、または修正された決定された分析物濃度値（Ａｃｏｒｒ）の間の差である。
【００６２】
[0076]  従って、ΔＳを用いる勾配補正方程式は次のように表すことができる：
[0077]
【００６３】
【化５】
0005856154.tif 000006
【００６４】
[0078]  ここで、Ａｃｏｒｒは修正された分析物濃度であり、ｉはバイオセンサー系からの出力シグナルの値であり、Ｉｎｔは基準相関方程式からの切片であり、Ｓｃａｌはその基準相関方程式からの勾配であり、ΔＳはＳｃａｌとエラー無しでのその試料の分析物濃度を提供する分析的出力シグナル値に関する線の仮定的な勾配（Ｓｈｙｐ）の間の勾配における偏差を表す。その基準相関方程式に関するＩｎｔおよびＳｃａｌ値は、そのバイオセンサー系においてプログラム番号割り当て（ｐｒｏｇｒａｍ  ｎｕｍｂｅｒ  ａｓｓｉｇｎｍｅｎｔ）（ＰＮＡ）表、別のルックアップ表、または同様のものとして実施されてよい。その方程式は、正規化してＩｎｔ項を削除することにより単純化することができる。少なくとも１個の勾配偏差値およびその分析的出力シグナルが含まれる他の勾配補正方程式を用いてもよい。本出願および特許請求の範囲全体にわたって示されている方程式には“＝”の記号が含まれている可能性があるが、その記号は等価、関係、予測、または同様のものを表すために用いられている。
【００６５】
[0079]  補正または修正無しでは、特定の分析的出力シグナル値はＳｈｙｐのエラーを補正した線からの試料分析物濃度とは異なるＳｃａｌの基準相関線からの試料分析物濃度を提供するであろう。Ｓｈｙｐのエラーを補正した線から得られたＡｃｏｒｒ値は、その試料中の分析物濃度のより正確な値を提供する。従って、式１はΔＳを用いて電流値、Ｓｃａｌ、およびＩｎｔを補正された分析物濃度に変換する。このようにして、そのパーセントバイアスをΔＳを通して式１の中につなげることができる。そのパーセントバイアス値は、ΔＳのそのパーセントバイアスへのつながりを通してバイアス分布の中心へと引き寄せることができる。ΔＳはバイアスに応じるため、ΔＳを変化させることはその試料の補正された分析物濃度に残っているバイアスの量に影響を及ぼす。
【００６６】
[0080]  ΔＳの値を試料から実験により決定して代用として式１の中に入れる場合、それらの試料の決定された分析物濃度中のバイアスは完全に補正されるであろう。あるいは、ΔＳの代わりに予測関数を用いるならば、その補正方程式が決定された分析物濃度におけるバイアスを修正する能力は、その予測関数から生成された値がどれだけうまくΔＳと相関するかに依存するであろう。式１において、予測関数ｆ（ｐｒｅｄｉｃｔｏｒ）をΔＳの代わりに用いることができる。従って、式１は次のように書き換えることができる：
[0081]
【００６７】
【化６】
0005856154.tif 000007
【００６８】
[0082]  その予測関数ｆ（ｐｒｅｄｉｃｔｏｒ）はｂ１＊ｆ（Ｉｎｄｅｘ）＋ｂ０という一般形を有することができるが、他の値またはインデックスをｆ（Ｉｎｄｅｘ）と組み合わせて用いてｆ（ｐｒｅｄｉｃｔｏｒ）を与えることもできる。例えば、そのインデックス関数をｂ１およびｂ０の一方または両方と共に、またはそれ無しで用いてその予測関数を与えることができるであろう。ΔＳおよびそのインデックス関数が完全に相関する理論的状況に関して、ｂ１（勾配を表す）およびｂ０（切片を表す）はそれぞれ１および０である。多数のインデックス関数を組み合わせてそのｆ（ｐｒｅｄｉｃｔｏｒ）を、従ってその試料の修正された分析物濃度を与えることもできる。その試料の環境的および／または物理的特徴がその予測関数中に、インデックス関数の一部として、または他の方法でのどちらかで含まれてよい。同様に、二次出力シグナルがその予測関数中に、インデックス関数の一部として、または他の方法でのどちらかで含まれてよい。
【００６９】
[0083]  勾配偏差ΔＳ、および／または関連するインデックス関数を正規化して分析物濃度の分析的出力シグナルとの相関における％−バイアスを表すことができる。従って、式１中の勾配偏差ΔＳをその基準相関方程式の勾配Ｓｃａｌにより正規化することができ、結果としてΔＳ／Ｓｃａｌおよびそのインデックス関数の間の補正相関がもたらされる。加えて、正規化された勾配偏差は多数の方法で、例えばΔＳ／ＳｃａｌまたはＳ／Ｓｃａｌにより表すことができ、ここで“Ｓ”はＳｃａｌから逸脱したあらゆる勾配を表す。これらの表現は均等であり、１の差があり、従ってＳ／Ｓｃａｌ  ＝  １＋ΔＳ／Ｓｃａｌである。正規化された勾配関数ＳＮＭＬがインデックス関数ｆ（Ｉｎｄｅｘ）で置き換えられている関係は、次のように表すことができる：
[0084]
【００７０】
【化７】
0005856154.tif 000008
【００７１】
[0085]  図５Ａは、ΔＳ／Ｓｃａｌおよび追加の電極から得られた二次出力シグナル電流（Ｈｃｔ）が含まれるインデックス関数の間の関係を示す。異なるグルコース濃度および０％、２０％、４５％および７０％−Ｈｃｔのヘマトクリット含有量が含まれる多数の全血試料を分析した。その追加の電極からの出力電流は、その分析の開始から約５．７秒後に測定された。その分析は約２５．３±０．５℃において実施された。ΔＳ／Ｓｃａｌおよびインデックス関数ｆ（Ｉｎｄｅｘ）  ＝  ０．０００４１７（Ｈｃｔ）−０．８０１３０５の間に、約０．９１のＲ２値を有する線形の関係が観察された。より大きいＲ２値は、そのインデックス関数が記述されているΔＳ／Ｓｃａｌにおいてよりよいことを反映している。その相関から、以下の方程式を用いて、修正されたグルコース濃度Ｇｃｏｒｒが決定された：
[0086]
【００７２】
【化８】
0005856154.tif 000009
【００７３】
ここで、Ｉｎｔが０に等しい、または０に近い場合、Ｉｎｔはその方程式から省くことができる。
[0087]  図５Ｂは、その追加の電極から測定される二次出力シグナル電流を用いた補正により提供された組み合わせたバイアスの低減を示す。その補正はその分析の約９５％を±１０％組み合わせバイアス限界の範囲内に置いた。
【００７４】
[0088]  図５Ｃは、２５℃における図５Ａで用いた全血試料に関する異なるインデックス関数を用いた勾配の補正の結果もたらされた組み合わせたバイアスの低減を比較する。そのグラフは、修正されていないデータ（ｃｏｍｐ−０）、Ｇｒａｗによる交差項を有する組み合わせた比率インデックスによってのみ修正されたデータ（ｃｏｍｐ−Ｒ）、追加の電極から得られた二次出力電流によってのみ修正されたデータ（ｃｏｍｐ−Ｈｃｔ）、ならびに多数の比率項、追加の電極の電流、および他のエラーパラメーターが含まれる複合インデックス関数で修正されたデータ（ｃｏｍｐ−Ｈｃｔ／Ｒ）から決定されたグルコース濃度を示す。下記の表１は、±１５．４、±１０．４、および±５．４組み合わせバイアス限界の範囲内に入るその分析の百分率を示す。表１は、多数の比率項が含まれるが非分析的出力電流からのエラーパラメーターを欠く複合インデックス関数から得られた結果を示す（ｃｏｍｐ−Ｃｌ）。
【００７５】
[0089]
【００７６】
【表１】
0005856154.tif 000010
【００７７】
[0090]  補正無しでは、その分析は、その決定されたグルコース濃度の約６７％がおおよそ±１５％組み合わせバイアス限界の範囲内にあり、そのグルコース濃度の約４８％がおおよそ±５％組み合わせバイアス限界の範囲内にある結果をもたらした。その複合インデックス関数単独および追加の電極からの電流値を用いるインデックス関数は、それぞれそのバイアス限界内にある決定されたグルコース濃度を増大させた。しかし、そのバイオセンサー系がおおよそ±５％組み合わせバイアス限界の範囲内にあるグルコース濃度を提供する能力を著しく向上させたのは、追加の電極の電流が含まれる複合インデックス関数の組み合わせを用いた勾配補正であった。
【００７８】
[0091]  補正無しのバイオセンサー系はその分析の半分未満をおおよそ±５％組み合わせバイアス限界の範囲内に入らせたが、Ｃｏｍｐ−Ｈｃｔ／Ｃｌ修正法はその分析のおおよそ９７％をおおよそ±５％組み合わせバイアス限界の範囲内に入らせた−これは測定性能における１００％より大きい向上である（９７−４８／４８＊１００）。その望まれるバイアス限界の外にある読みの数を低減することにより、例えば血中グルコースを監視している際に得られた読みのより多くを患者による正確な療法のために用いることができるであろう。加えて、その患者がその分析を捨てて繰り返す必要性も低減することができる。例えば、おおよそ±５％組み合わせバイアス限界の測定性能カットオフにおいて、患者はＣｏｍｐ−Ｈｃｔ／Ｃｌ補正を用いるグルコースバイオセンサー系から実施された分析の約３％だけを捨てて繰り返しさえすればよいであろう。補正を欠く同じグルコースバイオセンサー系は、おおよそ±５％組み合わせバイアス限界においてそのグルコース分析のおおよそ５１％を捨てることを必要とし、その補正されていない系をおおよそ±５％組み合わせバイアス限界の測定性能カットオフの達成に関して事実上使い物にならなくする。
【００７９】
[0092]  図６Ａは、ΔＳ／Ｓｃａｌと追加の電極から得られた二次出力シグナル電流（Ｈｃｔ）および温度をエラーパラメーターとして含むインデックス関数の間の関係を示す。異なるグルコース濃度および約０％、２０％、４５％および７０％−Ｈｃｔのヘマトクリット含有量が含まれる多数の全血試料を、約１５、２３、および３０℃で分析した。追加の電極からの電流を、その分析の開始から約７秒後に測定した。約０．９６のＲ２値を有する線形の関係が、ΔＳ／Ｓｃａｌおよびインデックス関数ｆ（Ｉｎｄｅｘ）Ｔ，Ｈｃｔ  ＝  −１．２７３３５＋０．０００３８４２３（Ｈｃｔ）＋０．０１９６０５４（Ｔｅｍｐ）＋０．０００００１８９（Ｔｅｍｐ）（Ｈｃｔ）の間に観察された。その相関から、２つの形の正規化された勾配偏差ΔＳ／ＳｃａｌおよびＳ／Ｓｃａｌを表す次の方程式のどちらかを用いて、修正されたグルコース濃度Ｇｃｏｒｒを決定した：
[0093]
【００８０】
【化９】
0005856154.tif 000011
【００８１】
、および
[0094]
【００８２】
【化１０】
0005856154.tif 000012
【００８３】
ここで、Ｉｎｔが０に等しい、または０に近い場合、Ｉｎｔはその方程式から省くことができる。その２つのインデックス関数の定数項には“１”だけの差があり、残りの項およびそれらの係数は同じである。
【００８４】
[0095]  図６Ｂは、その追加の電極から測定された二次出力シグナル電流および温度を用いるインデックス関数による補正により提供される組み合わせたバイアスの低減を示す。その方法は、２３℃での分析の約９３％、３０℃での分析の約８１％、および１５℃での分析の約７８％を±１０％組み合わせバイアス限界の範囲内に置いた。
【００８５】
[0096]  その追加の電極からの二次出力シグナル電流および比率インデックスはヘマトクリットの作用に応じるため、その比率インデックスをそのインデックス関数に加えることはそのヘマトクリットの作用の向上した補正を提供する可能性がある。温度（Ｔｅｍｐ）、追加の電極からの二次出力シグナル（Ｈｃｔ）、および分析的出力シグナルから引き出された比率インデックスを項として用いる複合インデックス関数は、同じ血液試料に関して次のように決定された：
[0097]
【００８６】
【化１１】
0005856154.tif 000013
【００８７】
[0098]  図６Ｃは、式７の複合インデックス関数およびΔＳ／Ｓｃａｌの間の相関を示す。その関数からの複合インデックス値がΔＳｃａｌ値にどれだけうまく一致するかを反映するＲ２値は０．９８５８であった。図６Ｄは、式７の複合インデックス関数を用いた補正により提供される組み合わせたバイアスの低減を示す。その方法は、２３℃での分析の約１００％、３０℃での分析の約９８％、および１５℃での分析の約９８％を±１０％組み合わせバイアス限界の範囲内に置いた。
【００８８】
[0099]  ΔＳ／Ｓｃａｌおよびそのインデックス関数の間の相関は、未処理グルコース項Ｇｒａｗをそのインデックス関数に加えることにより向上させることができる。温度（Ｔｅｍｐ）、追加の電極からの二次出力シグナル（Ｈｃｔ）、分析的出力シグナルから引き出された比率インデックス、およびＧｒａｗを項として用いる複合インデックス関数は、同じ血液試料に関して次のように決定された：
[00100]
【００８９】
【化１２】
0005856154.tif 000014
【００９０】
[00101]  図６Ｅは、式８の複合インデックス関数およびΔＳ／Ｓｃａｌの間の相関を示す。その関数からの複合インデックス値がΔＳｃａｌ値にどれだけうまく一致するかを反映するＲ２値は０．９９５３であった。図６Ｆは、式８の複合インデックス関数を用いた補正により提供される組み合わせたバイアスの低減を示す。その方法は、２３℃での分析の約１００％、３０℃での分析の約１００％、および１５℃での分析の約９８％を±１０％組み合わせバイアス限界の範囲内に置くことができた。下記の表２は、同じ血液試料に関する式５または式６のインデックス関数による勾配補正からの結果と式７および式８の複合関数による勾配補正からの結果を比較する。
【００９１】
[00102]
【００９２】
【表２】
0005856154.tif 000015
【００９３】
[00103]  ±１０％組み合わせバイアス限界において、約２６％（２０／７８＊１００）の測定性能の向上が、最も低い温度である１５℃においてそのインデックス関数への比率インデックスの追加により観察された。２３℃および３０℃において、それぞれ約２１％（１７／８１＊１００）および約８％（７／９３＊１００）の測定性能の向上が、そのインデックス関数への比率インデックスの追加により観察された。従って、その温度範囲にわたって、平均約１８％（２６＋２１＋８／３＊１００）の測定性能の向上が観察され、より低い温度において最も大きい向上が観察された。Ｇｒａｗおよびその交差項をそのインデックス関数中に含ませることにより、さらなる向上が観察された。
【００９４】
[00104]  ±５％組み合わせバイアス限界において、その比率インデックスを欠くインデックス関数はその分析の５０％未満（４７＋４６＋５４／３）をその限界の範囲内に置くことができた。１５℃以外では、その比率インデックスの追加は±５％組み合わせバイアス限界の範囲内の分析の数をほぼ２倍にし、この方法を±５％バイアス限界の測定性能を提供するバイオセンサー系における使用に適したものにする。Ｇｒａｗおよびその交差項の追加は２３℃および３０℃での分析における継続した向上を提供し、低温の１５℃における分析を８６％に至るまでその±５％組み合わせバイアス限界の範囲内に入れた。平均すると分析の約９３％（９４＋９８＋８６／３）が±５％組み合わせバイアス限界の範囲内に含まれており、インデックス関数中にＧｒａｗおよびその交差項が含まれる方法は±５％バイアス限界の測定性能を提供するバイオセンサー系における使用により適しているであろう。
【００９５】
[00105]  図７Ａは、生物学的流体の試料中の分析物濃度を決定するバイオセンサー系７００の図式的表現を示す。バイオセンサー系７００には、測定装置７０２および試験センサー７０４が含まれ、それはベンチトップ型の装置、携帯用もしくは手持ち式の装置、または同様のものが含まれるあらゆる分析機器において実施されてよい。その測定装置７０２および試験センサー７０４は、電気化学的センサー系、光学的センサー系、それらの組み合わせ、または同様のものを実施するように適合されていてよい。そのバイオセンサー系７００は、分析的および二次出力シグナルから分析物濃度を決定するために、少なくとも１個の勾配偏差値を用いて相関を調整する。その勾配偏差で調整された相関は、その試料の分析物濃度の決定においてバイオセンサー系７００の測定性能を向上させることができる。そのバイオセンサー系７００は、グルコース、尿酸、ラクテート、コレステロール、ビリルビン、および同様のものの濃度を含め、分析物濃度を決定するために利用することができる。特定の構成を示したが、そのバイオセンサー系７００は、追加の構成要素を有する構成を含め、他の構成を有していてよい。
【００９６】
[00106]  その試験センサー７０４は、リザーバー７０８および開口部７１２を有する流路７１０を形成する基部７０６を有する。そのリザーバー７０８および流路７１０は、孔を有する蓋により覆われていてよい。そのリザーバー７０８は部分的に囲い込まれる体積を定める。そのリザーバー７０８は、液体試料の保持を助ける組成物、例えば水膨潤性ポリマーまたは多孔質ポリマー母材を含有していてよい。試薬はそのリザーバー７０８および／または流路７１０中に置かれていてよい。その試薬には１種類以上の酵素、結合剤、媒介物質、および同様の種が含まれていてよい。その試薬には光学系のための化学的指示薬が含まれていてよい。その試験センサー７０４は他の構成を有していてよい。
【００９７】
[00107]  光学センサー系において、試料インターフェイス７１４はその試料を見るための光学的な入り口（ｏｐｔｉｃａｌ  ｐｏｒｔａｌ）または開き口（ａｐｅｒｔｕｒｅ）を有する。その光学的な入り口は、本質的に透明な物質により覆われていてよい。その試料インターフェイス７１４は、リザーバー７０８の反対側に光学的な入り口を有していてよい。
【００９８】
[00108]  電気化学系において、その試料インターフェイス７１４は、作用電極７３２および対電極７３４に接続された伝導体を有し、それから分析的出力シグナルを測定することができる。その試料インターフェイス７１４には、それから二次出力シグナルを測定することができる１個以上の追加の電極７３６に接続された伝導体も含まれていてよい。その電極は実質的に同じ面にあってよく、または１つより多くの面にあってよい。その電極は、リザーバー７０８を形成する基部７０６の表面上に配置されていてよい。その電極は、そのリザーバー７０８の中へと延びていて、または突き出ていてよい。誘電層が部分的にその伝導体および／またはその電極を覆っていてよい。その試料インターフェイス７１４は他の電極および伝導体を有していてよい。
【００９９】
[00109]  その測定装置７０２には、センサーインターフェイス７１８および表示装置７２０に接続された電気回路７１６が含まれる。その電気回路７１６には、シグナル発生装置７２４、任意の温度センサー７２６、および記憶媒体７２８に接続された処理装置７２２が含まれる。
【０１００】
[00110]  そのシグナル発生装置７２４は処理装置７２２に応答してセンサーインターフェイス７１８に電気的入力シグナルを与える。光学系では、その電気的入力シグナルを用いてセンサーインターフェイス７１８中の検出装置および光源を操作または制御することができる。電気化学系では、その電気的入力シグナルはセンサーインターフェイス７１８により試料インターフェイス７１４へと伝えられて、電気的入力シグナルをその生物学的流体の試料に印加することができる。その電気的入力シグナルは電位または電流であってよく、一定、可変、またはＡＣシグナルがＤＣシグナルオフセットと共に印加される場合のようにその組み合わせであってよい。その電気的入力シグナルは単一パルスとして、または多重パルス、シークエンス、もしくはサイクルで印加されてよい。そのシグナル発生装置７２４は発生装置−記録装置としてそのセンサーインターフェイスからの出力シグナルを記録してもよい。
【０１０１】
[00111]  その任意の温度センサー７２６は、その試験センサー７０４のリザーバー中の試料の温度を決定する。その試料の温度は、測定する、出力シグナルから計算する、または周囲温度もしくはそのバイオセンサー系を実施する装置の温度の測定値と同じ、もしくはそれと類似していると仮定することができる。その温度はサーミスター、温度計、または他の温度を感知する装置を用いて測定されてよい。他の技法を用いてその試料の温度を決定することもできる。
【０１０２】
[00112]  その記憶媒体７２８は、磁気、光学、または半導体メモリー、別の記憶装置、または同様のものであってよい。その記憶媒体７２８は固定されたメモリー装置、取り外し可能なメモリー装置、例えばメモリーカードであってよく、遠隔アクセス等をされてよい。
【０１０３】
[00113]  その処理装置７２２は、記憶媒体７２８中に記憶されたコンピューターで読み取り可能なソフトウェアコードおよびデータを用いてその分析物の分析およびデータ処理を実施する。その処理装置７２２は、センサーインターフェイス７１８における試験センサー７０４の存在、その試験センサー７０４への試料の適用に応じて、使用者の入力に応じて、等で分析物の分析を開始してよい。その処理装置７２２は、そのセンサーインターフェイス７１８に電気的入力シグナルを提供するようにそのシグナル発生装置７２４に指示する。その処理装置７２２は、その温度センサー７２６から試料の温度を受け取る。その処理装置７２２は、そのセンサーインターフェイス７１８から出力シグナルを受け取る。その出力シグナルは、その試料中の分析物の反応に応じて生成される。その出力シグナルは、光学系、電気化学系、または同様のものを用いて生成されてよい。その処理装置７２２は、前に論じたような相関方程式を用いて出力シグナルから勾配偏差補正された分析物濃度を決定する。その分析物の分析の結果は表示装置７２０に出力されてよく、記憶媒体７２８中に記憶されてよい。
【０１０４】
[00114]  分析物濃度および出力シグナルの間の相関方程式は、図表を用いて、数学的に、それらの組み合わせで、等で表されてよい。相関方程式には１個以上のインデックス関数が含まれていてよい。相関方程式は、記憶媒体７２８中に記憶されたプログラム番号（ＰＮＡ）表、別のルックアップ表、または同様のものにより表されてよい。定数および重み係数もその記憶媒体７２８中に記憶されていてよい。その分析物の分析の実施に関する説示は、記憶媒体７２８中に記憶されたコンピューターで読み取り可能なソフトウェアコードにより提供されてよい。そのコードは、本明細書で記述した機能性を記述する、または制御する目的コードまたはあらゆる他のコードであってよい。その分析物の分析からのデータに、処理装置７２２において、減衰率、Ｋ定数、比率、関数、および同様のものの決定を含む、１種類以上のデータ処理を施すことができる。
【０１０５】
[00115]  電気化学系において、そのセンサーインターフェイス７１８は、試験センサー７０４の試料インターフェイス７１４中の伝導体と接続する、または電気的に通信する接点を有する。そのセンサーインターフェイス７１８は、そのシグナル発生装置７２４からの電気的入力シグナルを、その接点を通してその試料インターフェイス７１４中のコネクターに伝える。そのセンサーインターフェイス７１８は、その試料からの出力シグナルも、その接点を通してその処理装置７２２および／またはシグナル発生装置７２４に伝える。
【０１０６】
[00116]  光吸収および光生成光学系において、そのセンサーインターフェイス７１８には光を集める、および測定する検出装置が含まれる。その検出装置は、その試料インターフェイス７１４中の光学的入り口を通してその液体センサーから光を受け取る。光吸収光学系において、そのセンサーインターフェイス７１８には光源、例えばレーザー、発光ダイオード、または同様のものも含まれる。その入射ビームはその反応生成物による吸収に関して選択された波長を有していてよい。そのセンサーインターフェイス７１８は光源からの入射ビームをその試料インターフェイス７１４中の光学的入り口を通して方向付ける。その検出装置は、その試料から反射されて戻ってくる光を受け取るために、その光学的入り口に対して例えば４５°の角度で位置していてよい。その検出装置は、その試料を通って伝わる光を受け取るために、その試料のその光源から他方の側にある光学的入り口に隣接して位置していてよい。その検出装置は、反射した、および／または伝わった光を受け取るために、別の位置に位置していてよい。
【０１０７】
[00117]  その表示装置７２０はアナログまたはデジタルであってよい。その表示装置７２０には、ＬＣＤ、ＬＥＤ、ＯＬＥＤ、真空蛍光、または数値的な読みを示すのに適合した他の表示装置が含まれてよい。他の表示装置を用いてもよい。その表示装置７２０はその処理装置７２２と電気的に通信する。その表示装置７２０は、例えばその処理装置７２２との無線通信状態にある場合に、その測定装置７０２から分離していてよい。あるいは、その表示装置７２０は、例えばその測定装置７０２が遠隔コンピューティング装置、薬物投与ポンプ、および同様のものと電気的に通信する場合に、その測定装置７０２から取り外されていてよい。
【０１０８】
[00118]  使用において、分析のための液体試料を、その開口部７１２にその液体を導入することにより、そのリザーバー７０８の中に移す。その液体試料はその流路７１０を通って流れ、先に含有されていた空気を追い出しながらそのリザーバー７０８を満たす。その液体試料はその流路７１０および／またはリザーバー７０８の中に置かれていた試薬と化学的に反応する。
【０１０９】
[00119]  その試験センサー７０２はその測定装置７０２に隣接して配置される。隣接には、その試料インターフェイス７１４がそのセンサーインターフェイス７１８と電気的および／または光学的通信状態にある位置が含まれる。電気的通信には、そのセンサーインターフェイス７１８中の接点およびその試料インターフェイス７１４中の伝導体の間の入力および／または出力シグナルの移動が含まれる。光学的通信には、その試料インターフェイス７１４中の光学的入り口およびそのセンサーインターフェイス７１８中の検出装置の間の光の移動が含まれる。光学的通信には、その試料インターフェイス７１４中の光学的入り口およびそのセンサーインターフェイス７１８中の光源の間の光の移動も含まれ
る。
【０１１０】
[00120]  その処理装置７２２はその温度センサー７２６から試料の温度を受け取る。その処理装置７２２はそのセンサーインターフェイス７１８に入力シグナルを提供するようにそのシグナル発生装置７２４に指示する。光学系では、そのセンサーインターフェイス７１８はその入力シグナルに応じてその検出装置および光源を操作する。電気化学系では、そのセンサーインターフェイス７１８はその試料インターフェイス７１４を通してその試料に入力シグナルを提供する。その処理装置７２２は、前に論じたように、その試料中の分析物のレドックス反応に応じて生成された出力シグナルを受け取る。
【０１１１】
[00121]  その処理装置７２２は、その試料の分析物濃度を決定する。その測定装置は、分析物濃度および出力シグナルの間の相関を、少なくとも１個の勾配偏差値を用いて調整する。その分析物濃度はその勾配で調整された相関およびその出力シグナルから決定される。前に論じたように、正規化の技法を用いてもよい。
【０１１２】
[00122]  本発明の様々な態様を記述したが、本発明の範囲内で他の態様および実施が可能であることは当業者には明らかであろう。
【図１】
0005856154.tif 000016
【図２−１】
0005856154.tif 000017
【図２−２】
0005856154.tif 000018
【図２−３】
0005856154.tif 000019
【図３−１】
0005856154.tif 000020
【図３−２】
0005856154.tif 000021
【図３−３】
0005856154.tif 000022
【図４−１】
0005856154.tif 000023
【図４−２】
0005856154.tif 000024
【図５−１】
0005856154.tif 000025
【図５−２】
0005856154.tif 000026
【図５−３】
0005856154.tif 000027
【図６−１】
0005856154.tif 000028
【図６−２】
0005856154.tif 000029
【図６−３】
0005856154.tif 000030
【図６−４】
0005856154.tif 000031
【図６−５】
0005856154.tif 000032
【図６−６】
0005856154.tif 000033
【図７】
0005856154.tif 000034